(57)【要約】 【課題】  装飾性を備える。端末器を安定的に装着することができ装着による身体的な不具合を解消する。【解決手段】  音源機器のイヤホンジャックに接続されるプラグ１と、プラグ１に接続され音源機器の音声の電気信号を空気振動に変換する変換器２と、耳に装着される端末器３と、変換器２，端末器３に接続され音声の空気振動を伝送するチューブ４とを備えてなる。端末器３は、耳介の耳珠，対珠に係止され耳甲介腔に一部の容積を占めるように収容される小塊形の装着部３１を備えている。チューブ４は、身体に巻付け装身可能な長さをもった装飾体に形成されている。【選択図】        図１
2005045671.tif 000002
【特許請求の範囲】
【請求項１】
音源機器のイヤホンジャックに接続されるプラグと、プラグに接続され音源機器の音声の電気信号を空気振動に変換する変換器と、耳に装着される端末器と、変換器，端末器に接続され音声の空気振動を伝送するチューブとを備えてなるイヤホン装置において、端末器は耳介の耳珠，対珠に係止され耳甲介腔に一部の容積を占めるように収容される小塊形の装着部を備え、チューブは身体に巻付け装身可能な長さをもった装飾体に形成されていることを特徴とするイヤホン装置。
【請求項２】
請求項１のイヤホン装置において、プラグ，変換器は一体化されていることを特徴とするイヤホン装置。
【請求項３】
請求項１または２のイヤホン装置において、端末器，チューブは着脱可能であることを特徴とするイヤホン装置。
【請求項４】
請求項１〜３のいずれかのイヤホン装置において、変換器，チューブは着脱可能であることを特徴とするイヤホン装置。
【請求項５】
請求項１〜４のいずれかのイヤホン装置において、チューブは中途部で断続可能であることを特徴とするイヤホン装置。
【請求項６】
請求項１〜５のいずれかのイヤホン装置において、チューブはフレキシブルなチューブ本体に塊状の装飾体が数珠繋ぎに連結されていることを特徴とするイヤホン装置。
【請求項７】
請求項１〜６のいずれかのイヤホン装置において、端末器は、装着部に連結されチューブに接続される接続部と、装着部，接続部の内部に配設され音声の空気振動が伝送される伝送路と、伝送路に連通して装着部に開口され音声の空気振動が開放される伝送終端口と、伝送路に連通して接続部に開口され音声の空気振動が導入される伝送始端口とを備えていることを特徴とするイヤホン装置。
【発明の詳細な説明】
【技術分野】
【０００１】
本発明は、音源機器の音声を耳に導入して聴取するためのイヤホン装置に係る技術分野に属する。
【背景技術】
【０００２】
一般に、音源機器の音声を耳介の外耳孔に直接的に伝えるイヤホン装置は、耳に装着されて吊下げられる装身具的な側面を有しているにもかかわらず、機能面での改良が種々試みられているものの、装飾面での改良が殆ど試みられていないという状況がある。このため、装飾性を高めたイヤホン装置の開発が要請されるようになってきている。
【０００３】
従来、装飾性を高めたイヤホン装置としては、例えば、以下に記載のものが知られている。
【特許文献１】特開平８−７９８７５号公報  特許文献１には、音源機器の音声の電気信号を空気振動に変換する変換器を内蔵して耳に装着される端末器に接続された電線に装飾体を設けてなるイヤホン装置が記載されている。
【０００４】
特許文献１に係るイヤホン装置によると、電線がネックレスのような装飾体構造を呈することになる。
【発明の開示】
【発明が解決しようとする課題】
【０００５】
特許文献１に係るイヤホン装置では、変換器にある程度の大きさ，重量が必要とされることから、耳に装着される端末器が耳介の外耳孔に緊密に挿入されたり耳介の耳甲介腔に緊密に嵌込まれて装着されることになる。このため、装着形態を長時間続けると、端末器によって耳介の外耳孔，耳甲介腔のほぼ全体が強く圧迫され続けるため、耳に異物感を感じて不快な気分になってしまうという問題点がある。また、端末器が耳栓のように機能して音源機器の音声以外の雑音がカットされてしまうため、特定の周波数の音声のみを長時間聞くことになって、難聴を引起こすことがあるという問題点がある。また、耳の近くに変換器（接続される電線も含む）が配置されるため、変換器から発生する電磁波で脳が影響を受けるという問題点がある。
【０００６】
なお、このような装着による身体的な不具合の解消を指向して、端末器を変換器が内蔵されないで耳介の耳輪に引掛けられる装着形態として、耳から離れた場所に別個に配置された変換器から音声の空気振動を伝えるチューブを配設することが行われている。然しながら、耳介の耳輪に端末器を引掛ける装着形態では、端末器の装着状態が安定せずチューブ側からの引張等で不測に脱落したり装着位置がずれてしまうことがあるという新たな問題点が生じている。
【０００７】
本発明は、このような問題点を考慮してなされたもので、装飾性を備えるとともに、端末器を安定的に装着することができ装着による身体的な不具合を解消することのできるイヤホン装置を提供することを課題とする。
【課題を解決するための手段】
【０００８】
前述の課題を解決するため、本発明に係るイヤホン装置は、特許請求の範囲の各請求項に記載の手段を採用する。
【０００９】
即ち、請求項１では、音源機器のイヤホンジャックに接続されるプラグと、プラグに接続され音源機器の音声の電気信号を空気振動に変換する変換器と、耳に装着される端末器と、変換器，端末器に接続され音声の空気振動を伝送するチューブとを備えてなるイヤホン装置において、端末器は耳介の耳珠，対珠に係止され耳甲介腔に一部の容積を占めるように収容される小塊形の装着部を備え、チューブは身体に巻付け装身可能な長さをもった装飾体に形成されていることを特徴とする。
【００１０】
この手段では、端末器が耳介の耳甲介腔をあまり圧迫せずに耳珠，対珠に確実に係止される装着部による装着形態となる。また、端末器の装着部が耳介の外耳孔を完全に被うことがなく騒音等が完全にカットされなくなる。また、変換器がチューブを介して耳から離されて配置される。また、チューブが装飾化される。
【００１１】
また、請求項２では、請求項１のイヤホン装置において、プラグ，変換器は一体化されていることを特徴とする。
【００１２】
この手段では、プラグ，変換器がコンパクト化される。
【００１３】
また、請求項３では、請求項１または２のイヤホン装置において、端末器，チューブは着脱可能であることを特徴とする。
【００１４】
この手段では、端末器が交換可能になる。
【００１５】
また、請求項４では、請求項１〜３のいずれかのイヤホン装置において、変換器，チューブは着脱可能であることを特徴とする。
【００１６】
この手段では、チューブが交換可能になる。
【００１７】
また、請求項５では、請求項１〜４のいずれかのイヤホン装置において、チューブは中途部で断続可能であることを特徴とする。
【００１８】
この手段では、チューブが長さ調整される。
【００１９】
また、請求項６では、  請求項１〜５のいずれかのイヤホン装置において、チューブはフレキシブルなチューブ本体に塊状の装飾体が数珠繋ぎに連結されていることを特徴とする。
【００２０】
この手段では、チューブ本体のフレキシブルが装飾体で損なわれなくなる。
【００２１】
また、請求項７では  請求項１〜６のいずれかのイヤホン装置において、端末器は、装着部に連結されチューブに接続される接続部と、装着部，接続部の内部に配設され音声の空気振動が伝送される伝送路と、伝送路に連通して装着部に開口され音声の空気振動が開放される伝送終端口と、伝送路に連通して接続部に開口され音声の空気振動が導入される伝送始端口とを備えていることを特徴とする。
【００２２】
この手段では、端末器の内部に音声の空気振動の伝達経路が形成される。
【発明の効果】
【００２３】
本発明に係るイヤホン装置は、チューブが装飾化されるため、装飾性を備えることができる効果がある。さらに、端末器が耳介の耳甲介腔をあまり圧迫せずに耳珠，対珠に確実に係止される装着部による装着形態となり、端末器の装着部が耳介の外耳孔を完全に被うことがなく騒音等が完全にカットされ、変換器がチューブを介して耳から離されて配置されるため、端末器を安定的に装着することができ装着による身体的な不具合を解消することができる効果がある。
【発明を実施するための最良の形態】
【００２４】
以下、本発明に係るイヤホン装置を実施するための最良の形態を図面に基づいて説明する。
【００２５】
図１〜図１１は、本発明に係るイヤホン装置を実施するための最良の形態の第１例を示すものである。
【００２６】
第１例では、携帯電話からなる音源機器Ｔに使用するものを示してある。
【００２７】
第１例は、図１に示すように、プラグ１，変換器２，端末器３，チューブ４で構成されている。
【００２８】
プラグ１は、音源機器Ｔのイヤホンジャック（イヤホンマイクジャック）に接続される（図４参照）ピンタイプからなる。このプラグ１は、音源機器Ｔの音声の電気信号を変換器２に伝送する。
【００２９】
変換器２は、図３に詳細に示されるように、ケーシング２１，本体部２２，共鳴室２３，スイッチ２４からなる。ケーシング２１は、プラグ１を抜差しする際の摘みとして機能する円筒体に形成されている。本体部２２は、音源機器Ｔの音声の電気信号を空気振動に変換するスピーカ，整流素子等からなるもので、ケーシング２１の軸方向の半部に収容されている。この本体部２２には、プラグ１が接続され一体化されている。共鳴室２３は、本体部２２で変換された音声の空気振動を共鳴増幅させる空間からなるもので、ケーシング２１の軸方向の他の半部に区画形成されている。この共鳴室２３には、チューブ４が接続されている。スイッチ２４は、音量の調整や本体部２２のＯＮ，ＯＦＦ切換えを操作する。
【００３０】
端末器３は、図５に詳細に示されるように、装着部３１，接続部３２，伝送路３３，伝送終端口３４，伝送始端口３５からなる。装着部３１は、全体が小塊形に形成され耳介の耳珠Ａ，対珠Ｂに係止され耳甲介腔Ｃに一部の容積を占めるように収容されるもので、軸部３１ａを介して２つの球部３１ｂ，３１ｃが設けられている。１つの球部３１ｂ，３１ｃの体積は、耳介の耳甲介腔Ｃの一部の容積のみを占めるように設定されている。球部３１ｂ，３１ｃの材質については、肌に接触可能であれば特別な制約はないが、宝石，金，銀，プラチナ，琥珀，真珠，珊瑚，貝類，ガラス，陶器、プラスチック，シリコン，ゴム，木材等の装飾性の高いものを選択すると高級装飾品として商品価値を高めることができる。また、球部３１ｂ，３１ｃを軸部３１ａに対しネジ構造で連結して、長さ方向の大きさを調節可能にしておけば、耳の大きさの個人差に対応することができる。また、Ｓサイズ，Ｍサイズ，Ｌサイズのように大きさの違うものをセットとしてまたは選択可能に提供することもできる。接続部３２は、チューブ４に接続されるもので、装着部３１の軸部３１ａとＴ字形を形成するように連結されている。伝送路３３は、音声の空気振動を伝えるもので、装着部３１の軸部３１ａ，球部３１ｂ，３１ｃと接続部３２との内部に連通して配設されている。伝送終端口３４は、音声の空気振動が耳介の外耳孔Ｄに向けて開放されるもので、伝送路３３に連通して装着部３１の球部３１ｂ，３１ｃに開口されている。伝送始端口３５は、チューブ４からの音声の空気振動が導入されるもので、接続部３２に開口されている。
【００３１】
チューブ４は、図３，図４，図５に詳細に示されるように、チューブ本体４１，装飾体４２，端末具４３，４４からなる。チューブ本体４１は、軟質の合成樹脂材で形成されたフレキシブルな円筒管からなるもので、首から下げたり腕に巻いたりして身体に巻付け装身可能な長さをもっている。装飾体４２は、チューブ本体４１に挿通される挿通孔を有する小球からなるので、チューブ本体４１に数珠繋ぎに連結される。この装飾体４２の材質については、肌に接触可能であれば特別な制約はないが、宝石，金，銀，プラチナ，琥珀，真珠，珊瑚，貝類，ガラス，陶器、プラスチック，シリコン，ゴム，木材等の装飾性の高いものを選択すると高級装飾品として商品価値を高めることができる。また、他の装飾体４２の材質としては、各種の金属材，象牙，牙，岩石，化石，木の実等の素材に加えて、メッキ製品，七宝焼き製品，漆塗り製品等の加工品を選択することも可能である。端末具４３，４４は、チューブ本体４１の端末に固定されて装飾体４２をチューブ本体４から抜止めするとともに、段付きの筒形に形成されて変換器２のケーシング２１（共鳴室端２３）や端末器３の接続部３２（伝送始端口３５）に嵌合着脱される。
【００３２】
第１例によると、端末器３に音声の電気信号を空気振動に変換する変換器２が内蔵されないことになる。即ち、変換器２で変換された音声の空気振動は、チューブ４を介して端末器３の伝送始端口３５に伝送され、伝送始端口３５から端末器３に導入されて伝送路３３を介して伝送終端口３４に到達され、伝送終端口３４から耳介の外耳孔Ｄに向けて開放されることになる。従って、変換器２の耳の近くへの配置を避けることができ、電磁波による脳への影響を防止することがきる。また、変換器２の容積分について端末器３の大きさを小さくすることができる。
【００３３】
第１例の端末器３は、図７に示すように、装着部３１の１つの球部３１ｂを耳介の耳甲介腔Ｃに収容して耳珠Ａ，対珠Ｂに係止されるようにし、装着部３１の軸部３１ａを珠間切痕Ｅから外部に引出すようにして耳に装着される。即ち、耳介の耳珠Ａ，対珠Ｂ，珠間切痕Ｅ周りを装着部３１の２つの球部３１ｂ，３１ｃで挟付けるようにする。この結果、装着部３１（球部３１ｂ）の耳介の耳珠Ａ，対珠Ｂへの係止から、耳への装着が確実に保持される。従って、装着状態が安定して、チューブ４側からの引張等で不測に脱落したり装着位置がずれてしまうことがなくなり、チューブ４側からの引張等を避けるためにチューブ４を衣類等に固定する必要もなくなる。
【００３４】
また、耳に装着された端末器３は、装着部３１の体積と耳介の耳甲介腔Ｃの容積との関係から、装着部３１（球部３１ｂ）が耳介の耳甲介腔Ｃを無用に圧迫することなくなる。従って、長時間装着しても、耳介の耳甲介腔Ｃ，外耳孔Ｄが強く圧迫され続けることがなく、耳に異物感を感じて不快な気分になることがなくなる。また、耳介の外耳孔Ｄが完全に装着部３１（球部３１ａ）で塞がれているわけではないため、雑音（他の必要な音声情報の場合も含む）を完全にカットすることがなく、難聴を引起こすこともなくなる。なお、耳介の耳甲介腔Ｃに収容されなかった装着部３１の他の１つの球部３１ｃに開口されている伝送終端口３４については、音声の空気振動の漏れを回避して音量を確保するために、必要に応じて栓が取付けられる。また、端末器３の装着部３１の球部３１ｂ，３１ｃの一方にさらにチューブ４，端末器３を接続して、両耳で音声を聴取する使用形態を採ることもできる。
【００３５】
また、第１例の端末器３は、図８に示すように、装着部３１の２つの球部３１ｂ，３１ｃを耳介の耳甲介腔Ｃの中で突張り状に係止させて耳に装着することもできる。この装着例では、前述の図７の装着例よりも、装着部３１を小さく形成する必要があるものの、前述の作用，効果に何等支障が生じることはない。
【００３６】
さらに、第１例によると、チューブ４が装飾体４２によって装飾化されているため、装飾性が備えられることになる。従って、端末器３が耳に装着されチューブ４が耳から吊下がった状態で、イヤリング，ネックレスのような装身具の装飾性を備えることができる。なお、チューブ４の装飾体４２が小球形でチューブ本体４１に数珠繋ぎに連結しているため、装飾体４２がチューブ本体４１のフレキシブル性を損なうことはない。また、外部からの衝撃，加圧に対してチューブ４の装飾体４２がチューブ本体４１の保護部材として機能するため、装飾体４２がチューブ本体４１の音声の空気振動の伝送機能を保障する。
【００３７】
また、第１例は、図９に示すように、イヤホン装置としての使用の外に、チューブ４の長さを利用して、チューブ４を首に巻いてネックレスとして使用することも可能である。このとき、結束具５を利用して、チューブ４の両端部付近を結束するのが好ましい。また。図１０に示すように、図９に示したネックレスの状態でプラグ１を音源機器Ｔに接続することで、音源機器Ｔの吊下げストラップとして使用することもできる。また、図１１に示すように、チューブ４の長さを利用して、チューブ４を腕に巻いて腕輪として使用することも可能である。
【００３８】
さらに、第１例によると、端末器３，チューブ４が着脱可能であるため、端末器３の装着部３１の球部３１ｂ，３１ｃを異なる材料で形成したものを多数個用意して必要に応じて端末器３を交換したり、チューブ４の装飾体４２を異なる材料，形状等で形成したものを多数連用意して必要に応じてチューブ４を交換したりすることもできる。この結果、時，場所等の状況に応じて、装飾性を変化させることができる。
【００３９】
また、端末器３，チューブ４が着脱可能であるため、図６に示すように、取外された端末器３の接続部３２に新たに装飾物６を挿通構造で追加取付けすることができる。この装飾物６は、端末具３をイヤリングのような外観に装飾する。
【００４０】
図１２，図１３は、本発明に係るイヤホン装置を実施するための最良の形態の第２例を示すものである。
【００４１】
第２例では、チューブ４の途中にストラップ紐７付きの装飾物８が連結されている。装飾物８は、小球が数珠繋ぎに連結されてチューブ４の装飾体４２と同一の外観を構成している。また、チューブ４の途中（装飾物８の連結部分よりも変換器２寄りの位置）にマイク９が取付けられている。マイク９は、チューブ４のチューブ本体４１に沿って装飾体４２の内部を配線された電線１０によってプラグ１に接続されている。
【００４２】
第２例によると、チューブ４の一部（変換器２への連結側）と装飾物８とがネックレスのような装飾性を構成することができる。また、チューブ４の他の一部（端末器３への連結側）は、端末器３が耳に装着されてイヤリングのような装飾性を構成するとともに、端末器３が耳から取外されてネックレスの一部を構成するような装飾性を構成する。
【００４３】
また、マイク９は、携帯電話からなる音源機器Ｔのハンドフリー通話に役立つ。
【００４４】
図１４は、本発明に係るイヤホン装置を実施するための最良の形態の第３例を示すものである。
【００４５】
第３例では、チューブ４を装飾物８の連結部分で断続（接続，離脱）可能（例えば、抜差し構造により）にしてある。
【００４６】
第３例によると、音源機器Ｔの音声を聴かない場合に、チューブ４の一部（端末器３への連結側）を取外してネックレスとしてのシンプルな装飾性を構成することができる。
【００４７】
図１５は、本発明に係るイヤホン装置を実施するための最良の形態の第４例を示すものである。
【００４８】
第４例では、前述の第３例のストラップ紐７を除去され、チューブ４の変換器２寄りの途中でも装飾物が連結されている。また、チューブ４を装飾物８の追加された連結部分でも断続（接続，離脱）可能（例えば、抜差し構造により）にしてある。
【００４９】
第４例によると、音源機器Ｔの音声を聴かない場合に、チューブ４の両端部側を取外してネックレスとしてのよりシンプルな装飾性を構成することができる。
【００５０】
図１６は、本発明に係るイヤホン装置を実施するための最良の形態の第５例を示すものである。
【００５１】
第５例は、端末器３の装着部３１の球部３１ｂが１個とされ軸部３１ａが省略されている。
【００５２】
第５例によると、端末器３の構造を簡素化，小型化することができる。なお、第１例〜第４例に比して端末器３の機能が低下することはない。
【００５３】
図１７は、本発明に係るイヤホン装置を実施するための最良の形態の第６例を示すものである。
【００５４】
第６例は、チューブ４の装飾体４２がチューブ本体４１の外側に積層される積層管とされている。装飾体４２は、着色，金属粉の混入等で装飾性が備えられる。
【００５５】
第５例によると、押出し成形等によってチューブ４を簡単に製造することができる。
【００５６】
図１８は、本発明に係るイヤホン装置を実施するための最良の形態の第７例を示すものである。
【００５７】
第７例では、チューブ４の装飾体４２がチューブ本体４１の外側に線状物が編組被覆される被覆管とされている。
【００５８】
第７例によると、線状物の編組形態の工夫によって複雑な装飾を構成することができる。
【００５９】
図１９は、本発明に係るイヤホン装置を実施するための最良の形態の第８例を示すものである。
【００６０】
第６例では、チューブ４の装飾体４２がチューブ本体４１の外側に遊嵌合される外装管とされている。
【００６１】
第７例によると、外装管の外周面に凹凸構造を形成することによって複雑な装飾を構成することができる。
【産業上の利用可能性】
【００６２】
本発明に係るイヤホン装置は、装飾品を主目的として市場に提供することもできる。
【図面の簡単な説明】
【００６３】
【図１】本発明に係るイヤホン装置を実施するための最良の形態の第１例を示す正面図である。
【図２】図１の一部の拡大図である。
【図３】図１の要部の拡大断面図である。
【図４】図３に示された要部の操作例図である。
【図５】図１の他の要部の拡大断面図である。
【図６】図５に示された要部の他部材との組合例図である。
【図７】図５に示された要部の操作例図である。
【図８】図５に示された要部の他の操作例図である。
【図９】図１の使用例を示す正面図である。
【図１０】図１の他の使用例を示す正面図である。
【図１１】図１のさらに他の使用例を示す正面図である。
【図１２】本発明に係るイヤホン装置を実施するための最良の形態の第２例を示す使用状態の正面図である。
【図１３】図１２の一部の拡大図である。
【図１４】本発明に係るイヤホン装置を実施するための最良の形態の第３例を示す使用状態の正面図である。
【図１５】本発明に係るイヤホン装置を実施するための最良の形態の第４例を示す使用状態の正面図である。
【図１６】本発明に係るイヤホン装置を実施するための最良の形態の第５例を示す正面図である。
【図１７】本発明に係るイヤホン装置を実施するための最良の形態の第６例を示す要部の斜視図である。
【図１８】本発明に係るイヤホン装置を実施するための最良の形態の第７例を示す要部の斜視図である。
【図１９】本発明に係るイヤホン装置を実施するための最良の形態の第８例を示す要部の斜視図である。
【符号の説明】
【００６４】
１            プラグ
２            変換器
３            端末器
３１          装着部
４            チューブ
４１          チューブ本体
４２          装飾体
Ｔ            音源機器
【図１】
2005045671.tif 000003
【図２】
2005045671.tif 000004
【図３】
2005045671.tif 000005
【図４】
2005045671.tif 000006
【図５】
2005045671.tif 000007
【図６】
2005045671.tif 000008
【図７】
2005045671.tif 000009
【図８】
2005045671.tif 000010
【図９】
2005045671.tif 000011
【図１０】
2005045671.tif 000012
【図１１】
2005045671.tif 000013
【図１２】
2005045671.tif 000014
【図１３】
2005045671.tif 000015
【図１４】
2005045671.tif 000016
【図１５】
2005045671.tif 000017
【図１６】
2005045671.tif 000018
【図１７】
2005045671.tif 000019
【図１８】
2005045671.tif 000020
【図１９】
2005045671.tif 000021